(57)【要約】  【課題】  ゴルファーが起立したままの姿勢でも飛ばされたゴルフティーを容易に捕獲することができる組み合わせゴルフ用具を提供する。  【解決手段】  ゴルフクラブ６のグリップＧ端部に着脱可能に装着される磁石体ＭＧと合成樹脂材で成形された棒状のゴルフティー１の台座部２に内装された金属体８または磁石体ＭＧとの組み合わせであって、上記グリップＧ端部の磁石体ＭＧと金属板８または磁石体ＭＧとの相互吸引作用でゴルフティー１の捕獲に供することで、ゴルファーＭが起立姿勢のままの姿勢でも飛ばされたゴルフティー１を容易に捕獲することができる。【選択図】    図５
2005137621.tif 000002
【特許請求の範囲】
【請求項１】
ゴルフクラブ６のグリップＧ端部に着脱可能に装着される磁石体ＭＧと、合成樹脂材で成形された棒状のゴルフティー１の台座部２に内装された金属体８または磁石体ＭＧとの組み合わせであって、
上記磁石体ＭＧと金属体８または磁石体ＭＧとの相互吸引作用でゴルフティー１の捕獲に供することを特徴とする組み合わせゴルフ用具。
【請求項２】
上記金属体８は棒状に形成され、ゴルフティー１の台座部２中心から差し込み軸５内に軸方向に形成された装着穴４に埋め込まれて成る請求項１に記載の組み合わせゴルフ用具。
【請求項３】
上記磁石体ＭＧは、素材が希土類の磁石であって板状または棒状に形成されて成る請求項１または２に記載の組み合わせゴルフ用具。
【請求項４】
ゴルフクラブ６のクラブヘッドＨには、磁石体ＭＧが着脱可能に装着されて成る請求項１〜請求項３の何れかに記載の組み合わせゴルフ用具。
【請求項５】
ゴルフクラブ６のグリップＧ端部に着脱可能に装着される板状の磁石体ＭＧは、グリップＧ端部の面積内に入る円板８ａ状に形成され、その中心部にはグリップＧ端部に形成された装着穴に嵌入可能な突起８ｂを有して成る請求項１〜請求項３の何れかに記載の組み合わせゴルフ用具。
【請求項６】
ゴルフクラブ６のグリップＧ端部に着脱可能に装着される希土類を素材とする磁石体ＭＧと、合成樹脂材で成形されたゴルフティー１４の内部に装着された金属体８または磁石体ＭＧとの組み合わせであって、
上記ゴルフティー１４は、所定高さの縦軸筒状体１５の両端に第１台座部１５ａ，１５ｂが形成されると共に、該縦軸筒状体１５に第２台座部１６ａ，１６ｂを両端に形成した横軸筒状体１６が直交し、上記縦軸筒状体１５に直交し且つ第２台座部１６ａ，１６ｂの横軸筒状体１６に両端に第３台座部１８ａ，１８ｂを形成した横軸筒状体１８が交叉するよう網状の薄肉合成樹脂材で中空状に一体成形されて成り、
上記第１、第２及び第3台座部は、それぞれゴルフボールＧＢの６５％〜８０％の直径で形成されると共に上記縦軸筒状体１５の略中間中空部内には上記金属体８または磁石体ＭＧが装着保持され、上記各筒状体１５，１６，１８は一方の台座部を着座させたときの他方の台座部までの高さがそれぞれ異なる高さで形成され、上記磁石体ＭＧと金属体８または磁石体ＭＧとの相互吸引作用でゴルフティー１４の捕獲に供することを特徴とする組み合わせゴルフ用具。
【発明の詳細な説明】
【技術分野】
【０００１】
本発明は、ゴルフクラブのグリップ端部に着脱可能に装着される金属体と合成樹脂材で成形されたゴルフティーの台座部に内装された磁石体との組み合わせルフ用具に関する。
【背景技術】
【０００２】
従来から使用されているゴルフティーは、ゴルフボールを載せる台座部と、地中に差し込まれる差し込み部とから棒状に形成されており、材質は木製のものやプラスチック製のものが用いられている。
【０００３】
このようなゴルフティーは年々改良されてきており、近年ではインパクト時の抵抗が少なく容易に飛距離を伸ばすことができ、ボールの方向性を良くする機能を備えたものも開発されている。
【０００４】
ゴルフ人口は老若男女共に年々広がりつつありゴルフレベルも初級者から上級者まで幅広い層からなっている。ゴルフティーは、ラウンド中に一番多く使用されるものであり、使用頻度が高いことからショット時に破損したり、飛ばされる方向にバラツキがあるため拾い難い場所に落下したり周囲の草木等の繁る場所に落下し地面の状況によっては紛失する等の問題を有している。
【０００５】
このような問題を踏まえて開発されたゴルフティーとして、アルミニウム（軽金属）で形成して強度を備えると共に台座部の外周にエラストマー素材のＯリングを嵌め込んでショット時におけるゴルフクラブへの衝撃、またはゴルフクラブから受ける衝撃を吸収することで相互の損傷を回避し、比較的重量があることから遠くまで飛ばされずに紛失し難くしたものが知られている（特許文献１参照）。
【０００６】
【特許文献１】特開平２０００−１４８４６号公報（段落００１１，００１３，図４）
【発明の開示】
【発明が解決しようとする課題】
【０００７】
しかしながら、上記のような従来のゴルフティーは、金属製であることから強度や重量を有しているので、損傷に対する耐久性を有すると共に遠くまで飛ばされずに紛失し難い利点があるが、飛ばされた場所によっては拾い難い場所に落下したり周囲の草木等の繁る場所に落下して簡単には拾い難い場合があり、また年々増加する高齢化したゴルファーにとっては、飛ばされたゴルフティーをラウンド中に何回も探したり拾う度に、腰に負担が掛かる問題を有していた。
【０００８】
本発明は、このような問題点に着目してなされたもので、ゴルファーが起立したままの姿勢でも飛ばされたゴルフティーを容易に捕獲することができる組み合わせゴルフ用具を提供することを目的とする。
【課題を解決するための手段】
【０００９】
上記の目的を解決するために、本発明の請求項１に記載の組み合わせゴルフ用具は、ゴルフクラブ６のグリップＧ端部に着脱可能に装着される磁石体ＭＧと、合成樹脂材で成形された棒状のゴルフティー１の台座部２に内装された金属体８または磁石体ＭＧとの組み合わせであって、上記磁石体ＭＧと金属体８または磁石体ＭＧとの相互吸引作用でゴルフティー１の捕獲に供することを特徴とする組み合わせゴルフ用具である。
上記の組み合わせゴルフ用具によれば、ゴルファーＭが起立姿勢のままでグリップＧ端部を下方に向けてゴルフクラブ６のクラブヘッドＨ側を把持し、グリップＧ端部側の磁石体ＭＧを落下したゴルフティー１に接近させると、内装された金属体８または磁石体ＭＧの磁力による相互吸引作用でゴルフティー１の捕獲に供される。
【００１０】
本発明の請求項２に記載の組み合わせゴルフ用具は、上記金属体８が、棒状に形成され、ゴルフティー１の台座部２中心から差し込み軸５内に軸方向に形成された装着穴４に埋め込まれて成る組み合わせゴルフ用具である。
上記の組み合わせゴルフ用具によれば、ショット時にゴルフボールＧＢと共に飛ばされたゴルフティー１内の金属体８は、クラブヘッドＨに直接当接せずに埋め込まれた台座部２周囲が当接する。
【００１１】
本発明の請求項３に記載の組み合わせゴルフ用具は、上記磁石体ＭＧが、素材が希土類の磁石であって板状または棒状に形成されて成る組み合わせゴルフ用具である。
上記の組み合わせゴルフ用具によれば、ゴルファーＭが起立姿勢のままでグリップＧ端部を下方に向けてゴルフクラブ６のクラブヘッドＨ側を把持し、グリップＧ端部側の磁石体ＭＧを落下したゴルフティー１に接近させることでそのゴルフティー１が内装された金属体８を介して上記グリップＧ端部の磁石体ＭＧに吸着されゴルフティー１の捕獲に供される。
【００１２】
本発明の請求項４に記載の組み合わせゴルフ用具は、ゴルフクラブ６のクラブヘッドＨには、磁石体ＭＧが着脱可能に装着されて成る組み合わせゴルフ用具である。
上記の組み合わせゴルフ用具によれば、ゴルファーＭが起立姿勢のままでゴルフクラブ６のグリップＧ側を把持し、ゴルフクラブ６のクラブヘッドＨを落下したゴルフティー１に接近させることでゴルフティー１に内装した金属体８がクラブヘッドＨの磁石体ＭＧによる磁力作用により吸着されゴルフティー１の捕獲に供される。
【００１３】
本発明の請求項５に記載の組み合わせゴルフ用具は、ゴルフクラブ６のグリップＧ端部に着脱可能に装着される板状の磁石体ＭＧは、グリップＧ端部の面積内に入る円板８ａ状に形成され、その中心部にはグリップＧ端部に形成された装着穴に嵌入可能な突起８ｂを有して成る組み合わせゴルフ用具である。
予め形成された装着穴に円板８ａ中心部の突起８ｂを嵌入することで板状の磁石体ＭＧがグリップＧ端部に密着状態で嵌入される。
【００１４】
本発明の請求項６に記載の組み合わせゴルフ用具は、ゴルフクラブ６のグリップＧ端部に着脱可能に装着される希土類を素材とする磁石体ＭＧと、合成樹脂材で成形されたゴルフティー１４の内部に装着された金属体８または磁石体ＭＧとの組み合わせであって、上記ゴルフティー１４は、所定高さの縦軸筒状体１５の両端に第１台座部１５ａ，１５ｂが形成されると共に、該縦軸筒状体１５に第２台座部１６ａ，１６ｂを両端に形成した横軸筒状体１６が直交し、上記縦軸筒状体１５に直交し且つ第２台座部１６ａ，１６ｂの横軸筒状体１６に両端に第３台座部１８ａ，１８ｂを形成した横軸筒状体１８が交叉するよう網状の薄肉合成樹脂材で中空状に一体成形されて成り、上記第１、第２及び第3台座部は、それぞれゴルフボールＧＢの６５％〜８０％の直径で形成されると共に上記縦軸筒状体１５の略中間中空部内には上記金属体８または磁石体ＭＧが装着保持され、上記各筒状体１５，１６，１８は一方の台座部を着座させたときの他方の台座部までの高さがそれぞれ異なる高さで形成され、上記磁石体ＭＧと金属体８または磁石体ＭＧとの相互吸引作用でゴルフティー１４の捕獲に供することを特徴とする組み合わせゴルフ用具である。
上記の組み合わせゴルフ用具によれば、ゴルファーＭが起立姿勢のままでグリップＧ端部を下方に向けてゴルフクラブ６のクラブヘッドＨ側を把持し、グリップＧ端部を落下したゴルフティー１４に接近させることでゴルフティー１４の中空部内に装着保持された金属体８がそのグリップＧ端部の磁石体ＭＧにより吸着されゴルフティー１４の捕獲に供されるだけでなく、ゴルフティー１４をゴルフクラブ６の種類に応じて3種類の高さが選択的に使用される。
【発明の効果】
【００１５】
本発明は以下の効果を奏する。
【００１６】
請求項１に記載の発明によれば、ゴルフクラブのグリップ端部に着脱可能に装着された金属体とゴルフティーの台座部に内装された磁石体とを組み合わせることで、ゴルファーが起立姿勢のままの姿勢でもゴルフクラブのグリップ端部を飛ばされたゴルフティーに接近させるだけで容易に捕獲することができる。
【００１７】
請求項２に記載の発明によれば、棒状に形成された金属体は、ゴルフティーの台座部中心から差し込み軸内部の装着穴内に埋め込まれているので、ショット時におけるクラブヘッドの損傷を防止できる。
【００１８】
請求項３に記載の発明によれば、磁石体の素材が磁力が強い希土類の磁石で構成されているので、磁石体がゴルフティーの差し込み軸５内に埋め込まれていても、このゴルフティーにグリップ端部を近ずけるだけで容易に吸着できる。
【００１９】
請求項４に記載の発明によれば、ゴルファーＭが起立姿勢のままでゴルフクラブを逆に持ち替えずに、ゴルフクラブのグリップを把持した状態でゴルフクラブのヘッドを落下したゴルフティーに接近させることでゴルフクラブヘッドの磁石体によりゴルフティーを容易に捕獲することができる。
【００２０】
請求項５に記載の発明によれば、グリップ端部に形成された装着穴を利用して装着されるので、装着のための接着剤などを使用せずに容易且つ確実に嵌入装着することができるので、簡単には紛失することはない。
【００２１】
請求項６に記載の発明によれば、ゴルフクラブのグリップ端部に着脱可能に装着された金属体とゴルフティーの台座部に内装された磁石体とを組み合わせることで、ゴルファーが起立姿勢のままの姿勢でも飛ばされたゴルフティーを容易に捕獲することができることは勿論、ゴルフティーをクラブの種類に応じて3種類の高さに選択的に使用することができる。
【発明を実施するための最良の形態】
【００２２】
本発明の実施例を以下に説明する。
【実施例１】
【００２３】
本発明の実施例を図面に基づいて説明すると、先ず図1は本発明の一実施例におけるゴルフティーの斜視図、図２は本発明の一実施例におけるゴルフティーの縦断面図、図３はグリップ端部に磁石体が装着される状態を示すゴルフクラブの斜視図、図４（ａ）は磁石体が装着される状態を示すグリップ端部の部分断面図、（ｂ）はグリップ端部に装着される磁石体の斜視図であり、図５はゴルファーが飛ばされたゴルフティーを起立状態で捕獲する状態の説明図である。
【００２４】
先ず、本発明はゴルフティーとゴルフクラブを組み合わせたゴルフ用具であって、図1には本発明の実施例としての組み合わせゴルフ用具の一部となる公知のゴルフティー１が示されており、このゴルフティー１は、ゴルフボールＧＢを載置する台座部２と地中に差し込まれる先細の段付きテ−パの差し込み軸５とから合成樹脂等で一体成形されている。
【００２５】
詳しくは、このゴルフティー１は、図１および図２に示すように、台座部２が球面凹部に形成されていて台座部２の中心から差し込み軸５の内部に軸方向に形成された装着穴４には、棒状に形成された金属体８が埋め込まれている。
【００２６】
一方、図３ないし図４には本発明の実施例としての組み合わせゴルフ用具の一部となる公知のゴルフクラブ６が示されており、このゴルフクラブ６は、シャフト６ａとシャフトの一端に装着されたゴム製のグリップＧとシャフトの他端に装着されたクラブヘッドＨとから構成されており、グリップＧの端部には円板状の磁石体ＭＧが着脱可能に装着されている。
【００２７】
磁石体ＭＧの素材には希土類が使用されており、この希土類の磁石体ＭＧは、磁束密度が高く強力な磁石として知られており、強力で機械的強度に優れるネオジウム、鉄、ボロン系と、耐腐食性に優れ、温度変化に強いサマリウム、コバルト系の元素を含む２種類のものがある。
【００２８】
この磁石体ＭＧは、図４の（ｂ）に示すようにグリップＧ端部の断面積内に入る直径となる円板８ａ状のもので形成されてその中心部に突起８ｂが突出されており、この突起８ｂをグリップＧ端部に予め形成された細孔１２に押圧嵌入して金属体８が装着されている。
【００２９】
尚、この金属体８は突起のない円板状のものでも良く、グリップＧ端部に取付ける場合は、例えば強力な接着力を有する両面テープなどでグリップＧ端部に装着することもでき、形状には特に限定されないものである。
【００３０】
このように、組み合わせゴルフ用具を構成することによって、図５に示すようにゴルファーＭが起立姿勢のままでグリップＧの端部を下方に向けてゴルフクラブ６のクラブヘッドＨ側を把持し、グリップＧを飛ばされたゴルフティーに接近させることで、ゴルフティー１に内装された金属体８または磁石体ＭＧがその磁力作用によりグリップＧ端部の磁石体ＭＧに吸着されてゴルフティー１の捕獲に供されることになる。なお、磁石体ＭＧどうしを吸着させる場合は互いに逆極性の組合わせとして使用する。
【００３１】
なお、上記のゴルフティー１に金属体８に代えて磁石体を使用する場合は、これを金属体８と同様に棒状に形成してゴルフティー１の台座部２に内装することもできる。
【００３２】
更に、ゴルフクラブ６のクラブヘッドＨに、薄い円板状の磁石体ＭＧを着脱可能に装着して、ゴルフティー１の台座部２には上記と同様に磁石体ＭＧまたは金属体８を内装し、クラブヘッドＨの磁石体ＭＧと金属体８または磁石体ＭＧとの相互吸引作用でゴルフティーの捕獲に供することができる。
【実施例２】
【００３３】
次に、本発明の実施例２に付き図６および図７を参照して以下に説明する。図６は実施例２におけるゴルフティーの斜視図であり、図７の（ａ）〜（ｃ）はゴルフティーの使用説明図である。
【００３４】
符号１４は実施例２に係るゴルフティーであって、このゴルフティー１４は、両端に第１台座部１５ａ，１５ｂが形成された所定高さの縦軸筒状体１５と、この縦軸筒状体１５のほぼ中間で交叉し両端に第２台座部１６ａ，１６ｂを形成した横軸筒状体１６と、縦軸筒状体１５と直交し且つ横軸筒状体１６に交叉して両端に第３台座部１８ａ，１８ｂを形成した短尺の横軸筒状体１８が網状の薄肉合成樹脂材で中空状に一体成形されている。
【００３５】
詳しくは、このゴルフティー１４の第１、第２及び第3台座部を構成する各筒状体１５，１６および１８は、縦軸筒状体１５の高さｈ１が一番高く、次に横軸筒状体１６，１８の順に低く形成されていて３種類の高さｈ２，ｈ３を選択できるようになっている。
【００３６】
そして、第１台座部１５ａ，１５ｂ、第２台座部１６ａ，１６ｂ、及び第3台座部１８ａ，１８ｂは、それぞれゴルフボールの６５％〜８０％の直径で形成されると共に縦軸筒状体の略中間の中空部内に例えば円板状の金属体８または磁石体ＭＧが装着保持されている。
【００３７】
この場合も実施例１と同様に、グリップＧの端部に磁石体ＭＧが装着されたゴルフクラブ６と金属体８または磁石体ＭＧが中空部内に装着保持されたゴルフティー１４と組合わせで使用される。
【００３８】
このゴルフティー１４を使用する際は、最大高さの台座部１５ａ，１５ｂを使用する際は図７（ａ）に示すように高さｈ１の縦軸筒状体１５を使用し、次に低い高さとして第２台座部１６ａ，１６ｂを使用する際は図７（ｂ）に示すように高さｈ２の横軸筒状体１６を使用すると共に、一番低い高さとして第３台座部１８ａ，１８ｂを使用する際は図７（ｃ）に示すように高さｈ３の第３台座部１８ａ，１８ｂを使用することができる。
【００３９】
このように、このゴルフティー１４は、網状の薄肉合成樹脂材で中空状に一体成形されているため軽量で衝撃が吸収されるのでゴルフティー１４やクラブヘッドＨの損傷のおそれがなく安全であり、台座部の直径が大きく形成されているためティーグランド上にも安定した状態で立設させることができ、セット時に他の高さの違う筒状体を飛球目標にセットすることができる。
【００４０】
尚、上記の３つの台座部は、それぞれ筒状体の両端に形成されているがゴルフボールの台座部と反対側の直径を大きく形成して着座部とすることも可能であり、３本の筒状体の交叉部位は中間位置ではなく、重心が安定する位置で着座部に近い位置で交叉するように形成しても良く、３本の筒状体を同一平面内で斜めに交叉させれば、ショット方向に他の筒状体が突出しないようにセットすることができ、ショット時に他の筒状体を気にショットすることができる。
【００４１】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００４２】
【図１】本発明の一実施例におけるゴルフティーの斜視図である。
【図２】本発明の一実施例におけるゴルフティーの縦断面図である。
【図３】グリップ端部に金属体が装着される状態を示すゴルフクラブの斜視図である。
【図４】（ａ）は金属体が装着される状態を示すグリップ端部の部分断面図、（ｂ）はグリップ端部に装着される金属体の斜視図である。
【図５】ゴルファーが飛ばされたゴルフティーを起立状態で捕獲する状態の説明図である。
【図６】実施例２におけるゴルフティーの斜視図である。
【図７】（ａ）〜（ｃ）はゴルフティーの使用説明図である。
【符号の説明】
【００４３】
１                      ゴルフティー
２                      台座部
４                      装着穴
５                      差し込み軸
６                      ゴルフクラブ
６ａ                    シャフト
８                      金属体
８ａ                    円板
８ｂ                    突起
１２                    細孔
１４                    ゴルフティー
１５                    縦軸筒状体
１６，１８              横軸筒状体
１５ａ，１５ｂ          第１台座部
１６ａ，１６ｂ          第２台座部
１８ａ，１８ｂ          第３台座部
Ｇ                      グリップ
ＧＢ                    ゴルフボール
Ｈ                      ヘッド
Ｍ                      ゴルファー
ＭＧ                    磁石体
【図１】
2005137621.tif 000003
【図２】
2005137621.tif 000004
【図３】
2005137621.tif 000005
【図４】
2005137621.tif 000006
【図５】
2005137621.tif 000007
【図６】
2005137621.tif 000008
【図７】
2005137621.tif 000009